(57)【要約】【課題】ふとんを丸める作業と収納する作業を一連的に行なうことができるふとん収納バッグを提供することである。【解決手段】略円筒状周壁３の両端に設けられた保形性のある略円形状端板２、２より成り、前記周壁３の長さ方向にスライドファスナ４が設けられて開口を形成し、このスライドファスナ４を始点として、前記周壁３の端縁と端板２の外周が、所定範囲でスライドファスナ５によって接離可能に接合されており、このスライドファスナ５を開くことによって周壁３の一部を平らに展延できるようにしたのである。【選択図】図１
0003193978.tif 000002
【実用新案登録請求の範囲】
【請求項１】
柔軟な材料で形成された略円筒状周壁と、この円筒状周壁の両端に接合された略円形状端板と、前記周壁の長さ方向に一方の端板から他方の端板にわたって周壁を分割するように設けられた係脱自在の第１のスライドファスナを備えたバッグであって、
前記周壁と両端板との接合部の一部分において、前記第１のスライドファスナを始点として前記周壁と端板とを着脱自在に接合する第２のスライドファスナが設けられ、前記接合部の残余は固着され、前記第１のスライドファスナと第２のスライドファスナを解除することによって、前記周壁の一部分を端板の略接線方向に方形状に展延可能としたふとん収納バッグ。
【請求項２】
前記端板が保形性を有する材料より成る請求項１に記載のふとん収納バッグ。
【請求項３】
前記周壁の内面が摩擦力の大きい素材より成る請求項１または２に記載のふとん収納バッグ。
【請求項４】
少なくとも前記周壁が防ダニ剤または抗菌剤或は両方を含有する請求項１〜３のいずれかに記載のふとん収納バッグ。
【請求項５】
前記周壁が不織布より成る請求項１〜４のいずれかに記載のふとん収納バッグ。
【請求項６】
前記展延する周壁の一部が周壁の周方向全長の約３／１０〜７／１０である請求項１〜５のいずれかに記載のふとん収納バッグ。
【考案の詳細な説明】
【技術分野】
【０００１】
この考案は、ふとんを丸めて簡単に収納することができ、スペースも取らないバッグに関する。
【背景技術】
【０００２】
特許文献１には、角箱状ふとん袋が開示されている。このふとん袋は、ふとんを折り畳んで収納するようになっているため、折り畳みの手間がかかり、またふとんを折り畳んだ際のサイズがふとん袋に合致するよう予め三つ折りや四つ折りなどを想定しておく必要がある。
【０００３】
そこで、特許文献２には、ふとんを丸めて収納することができる半円形収納袋が開示されている。しかしながら、この収納袋は、予め丸めたふとんを収納するものであって、丸めたふとんの形状が崩れないように手で抱えながら袋に入れる必要があり、これもまた手数のかかる作業を要する。
【先行技術文献】
【特許文献】
【０００４】
【特許文献１】実開昭５６−１３５４８４号公報
【特許文献２】実開昭５９−９９９８１号公報
【考案の概要】
【考案が解決しようとする課題】
【０００５】
そこで、この考案の課題は、ふとんを丸める作業と収納する作業を一連して同時に行なうことができるようにすることである。
【課題を解決するための手段】
【０００６】
上記の課題を解決するために、この考案は、柔軟な材料で形成された略円筒状周壁と、この円筒状周壁の両端に接合された略円形状端板と、前記周壁の長さ方向に一方の端板から他方の端板にわたって周壁を分割するように設けられた係脱自在の第１のスライドファスナを備えたふとん収納バッグであって、前記周壁と両端板との接合部の一部分において、前記第１のスライドファスナを始点として前記周壁と端板とを着脱自在に接合する第２のスライドファスナが設けられ、前記接合部の残余は固着され、前記第１のスライドファスナと第２のスライドファスナを解除することによって、前記周壁の一部分を端板の略接線方向に方形状に展延可能としたのである。
【０００７】
前記端板は保形性を有する材料で形成するのがよい。また、前記周壁の内面を摩擦力の大きい材料で形成しておくのが好ましい。さらに、少なくとも周壁に防ダニ剤や抗菌剤などを含有させておくことができる。そのほか、周壁を不織布で形成することができる。そして、展延する周壁の長さを周方向全長の約３／１０〜約７／１０にすることができる。
【考案の効果】
【０００８】
この考案によれば、以上のように、円盤状の端板から略接線方向に周壁の一部を展延できるようにしたので、展延した周壁にふとんを拡げ、ふとんを丸めながら最終的には丸めたふとんと共に周壁を巻き込んで一連の動作でふとんをバッグに収納することができる利点がある。
【図面の簡単な説明】
【０００９】
【図１】この考案の一実施形態を示すふとん収納バッグの斜視図、
【図２】同上のバッグを開放した状態を示す斜視図、
【図３】（Ａ）（Ｂ）（Ｃ）（Ｄ）はふとん収納バッグの使用手順を示す斜視図である。
【考案を実施するための形態】
【００１０】
以下、この考案の実施形態を添付図面に基づいて説明する。図１に示すように、ふとん収納バッグ１は、略円形状端板２、２と、両端板２、２の周囲に接合された略円筒状周壁３より成り、内部が収納空間を形成している。両端板２、２は、半硬質等の保形性を有する材料によって形成され、周壁３は柔軟性を有する材料によって形成されている。また、後述するふとん収納作業を容易にするため、周壁３の内面は摩擦力の大きな材料を用いるのがよい。例えば細かい凹凸を有する不織布やパイル織布、編布などである。
【００１１】
前記周壁３の長さ方向に、一方の端板２から他方の端板２にわたって、スライドファスナ４が設けられ、開口を形成している。このスライドファスナ４は、一方が雄ファスナ４ａ、他方が雌ファスナ４ｂから成る。さらに、前記周壁３と端板２、２の周囲との接合部において、スライドファスナ４を始点として、周壁３の約半分即ち端板２、２の円周の約１／２が周方向のスライドファスナ５、５によって係合され、図２に示すように、スライドファスナ５、５の係合を解除することによって、約半分の周壁３ａを端板２、２の接線方向に展延できるようになっている。展延した周壁３ａは略４角形になっている。勿論先にファスナ４ａと４ｂは解除しておかなければならない。このファスナ４と同様にファスナ５もいずれか一方が雄ファスナ５ａ、他方が雌ファスナ５ｂである。なお、残余の周壁３ｂは、端板２に固着されたままである。また、上記で約半分の周壁３ａを端板２、２から分離可能にした例を示したが、必要に応じて展延する周壁３ａをさらに拡大したり、或は縮小することが可能である。実用的には、周壁３の全長（周方向の長さ）の約３／１０〜７／１０の間で選択すればよい。上記のほか、バッグ１を形成する素材に防ダニ剤や抗菌剤などを含浸させておくことができる。
【００１２】
次に上記バッグ１の使用方法を説明する。まず、図２に示すように、スライドファスナ４ａと４ｂを解除し、さらにスライドファスナ５ａと５ｂを解除して一部分の周壁３ａを平らに展延する。次に、図３（Ａ）に示すように、展延した周壁３ａの上に、ふとんＭを横方向に二つ折りにし（長さ方向の半分にし）折り目が側面（展延した周壁３ａの側縁側）になるように載置し、図３（Ｂ）に示すように、二つ折りにしたふとんＭの外端から巻き上げて丸めて行く。展延した周壁３ａの端部に達すると、図３（Ｃ）のように周壁３ａをふとんＭと共に巻き込む。このとき、周壁３ａの内面が摩擦力の大きい材料によって形成されているので、丸めたふとんＭが滑って収納作業に支障をきたすようなことがない。最後に図３（Ｄ）のようにスライドファスナ４ａと４ｂを係合し、さらに端板２のスライドファスナ５（５ａ、５ｂ）も係合すると、丸められたふとんＭはバッグ１内に収納される。
【００１３】
上述の場合、ふとんＭを二つ折りにして丸める方法を示したが、二つ折りせずそのまま展延した周壁３ａに部分的に重ね合せ、ふとんＭの一端部（この部分は周壁３ａに重ね合っていない）から巻き上げて行き、周壁３ａに達して充分な巻回大きさに形成されてから周壁３ａと共に巻き込む（図３（Ｃ））方法を採ってもよい。勿論、収納バッグ１のサイズをふとんＭの幅に合うようにしておかなければならない。
【００１４】
なお、バッグ１の適当な個所に把手６を設けておくことができる。この把手６は、バッグ１を押入れ等に収納する際に、バッグ１を横置きまたは縦置きする場合の姿勢を干渉しないような構造にするのが好ましい。例えば図１に示すように、柔軟なストラップの両端を端板２に固着してループを形成したもの等がよい。
【符号の説明】
【００１５】
１  ふとん収納バッグ
２  端板
３、３ａ、３ｂ  周壁
４、４ａ、４ｂ  スライドファスナ
５、５ａ、５ｂ  スライドファスナ
６  把手
Ｍ  ふとん
【図１】
0003193978.tif 000003
【図２】
0003193978.tif 000004
【図３】
0003193978.tif 000005